(57)【特許請求の範囲】
【請求項１】
建材と横材からなる建枠を横方向に複数起立し、各横方向に沿って各建枠間に足場板を架設し、横方向に隣接する建材間に手摺を架設して足場枠を構成し、当該足場枠を上下方向に複数組段組してなる枠組足場に於て、手摺は横方向に対向する一対の縦方向支柱と、支柱間に回転自在に架設した横方向手摺枠と、各支柱の下方に設けた上下一対の第１，第２の取付部材とを有し、上記第１の取付部材を支柱に結合した水平なフレーム本体と、フレーム本体から直角方向に連設した支持フレームと、フレーム本体と支持フレームの外端に縦方向に向けて連設した係止フレームと、係止フレームの下部に設けた係止溝とで構成し、上記第２の取付部材を支柱に固定した水平な支持片と、支持片に連設したフックと、支持片に設けたガイドと、ガイドに挿入して上記フックと対向する楔とで構成し、下段の足場板上で手摺枠を伸長させながら一方の支柱を持ち上げる工程と、第１の取付部材における係止フレームを横材に引掛け次いで第２の取付部材におけるフックと楔とで建材を挟持して上記支柱を一方の建材に取付ける工程と、下段の足場板上で手摺枠を短縮させながら他方の支柱を持ち上げる工程と、当該支柱を上記と同じ工程で第１、第２の取付部材を介して他方の建材に取付ける工程とからなる枠組足場における手摺の取付方法。
【発明の詳細な説明】
【０００１】
【発明の属する技術分野】
本発明は、建築現場、土木工事場で使用される足場装置又は支保工としての枠組足場における手摺の取付方法に関し、特に、先行手摺としての使用に適する手摺の取付方法に関する。
【０００２】
【従来の技術】
一般に、建物の建築現場、土木工事現場では足場装置又は支保工として利用される枠組足場が設置されている。
【０００３】
この枠組足場は、建材と横材とからなる建枠を横方向に複数起立させ、隣接する横材間に足場板を架設し、同じく建材間に縦方向支柱と横方向手摺枠とからなる手摺を架設した足場枠を上下方向に一つ又は複数組段組して構成している。
【０００４】
この場合、建材間に手摺を連結体として利用した枠組足場として、例えば、特願平７−２７９４０２号公報に開示したものが開発されている。
【０００５】
この手摺は、両側の縦杆と、両縦杆の上端を連結する水平の手摺杆と、両縦杆の中間を連結する水平の手摺杆と、縦杆の上下位置に設けた取付金具とを一体に形成し、当該手摺を取付金具を介して建材に結合させるものである。
【０００６】
【発明が解決しようとする課題】
上記の従来の枠組足場によれば、建材間に足場板に対応して手摺が設けられているので、安全性が確保される反面、次のような不具合がある。
【０００７】
第１に、両縦杆と上下の手摺杆とが一体形成されている為に重量が重く、建材間に手摺を架設する作業が困難であり、面倒であり、一人では取付作業が出来ない場合もあり、着脱の作業性が著しく低下する。
【０００８】
第２に、手摺自体が大型となり、嵩ばるために搬送や格納が不便であり、格納スペースに制約を受ける。
【０００９】
第３に、建材が組付けられた後に一体で大型の手摺をこの建材に取付ける際に、建材間のスペースに制約され、手摺をいろいろな方向に向きを変えられないので建材に対する取付が困難で面倒である。
【００１０】
そこで、本発明の目的は、建材と横材とからなる建枠に対して簡単且つスムースに取付け又は取はずし出来、設置スペースに制約されず自由に位置合せが可能な手摺の取付方法を提供することである。
【００１１】
【課題を解決するための手段】
上記の目的を達成するため、本発明の手摺の取付方法の手段は、建材と横材からなる建枠を横方向に複数起立し、各横方向に沿って各建枠間に足場板を架設し、横方向に隣接する建材間に手摺を架設して足場枠を構成し、当該足場枠を上下方向に複数組段組してなる枠組足場に於て、手摺は横方向に対向する一対の縦方向支柱と、支柱間に回転自在に架設した横方向手摺枠と、各支柱の下方に設けた上下一対の第１，第２の取付部材とを有し、上記第１の取付部材を支柱に結合した水平なフレーム本体と、フレーム本体から直角方向に連設した支持フレームと、フレーム本体と支持フレームの外端に縦方向に向けて連設した係止フレームと、係止フレームの下部に設けた係止溝とで構成し、上記第２の取付部材を支柱に固定した水平な支持片と、支持片に連設したフックと、支持片に設けたガイドと、ガイドに挿入して上記フックと対向する楔とで構成し、下段の足場板上で手摺枠を伸長させながら一方の支柱を持ち上げる工程と、第１の取付部材における係止フレームを横材に引掛け次いで第２の取付部材におけるフックと楔とで建材を挟持して上記支柱を一方の建材に取付ける工程と、下段の足場板上で手摺枠を短縮させながら他方の支柱を持ち上げる工程と、当該支柱を上記と同じ工程で第１、第２の取付部材を介して他方の建材に取付ける工程とからなることを特徴とするものである
【００１２】
【発明の実施の形態】
以下、本発明の実施の形態を図にもとづいて説明するが、本発明は、図１、図２、図３に示すように、建材１と建材１に結合した横材２とからなる建枠３に手摺４を取付ける手摺の取付方法である。
即ち、本発明の枠組足場における手摺の取付方法は、建材と横材からなる建枠を横方向に複数起立し、各横方向に沿って各建枠間に足場板を架設し、横方向に隣接する建材間に手摺を架設して足場枠を構成し、当該足場枠を上下方向に複数組段組してなる枠組足場に於て、手摺は横方向に対向する一対の縦方向支柱と、支柱間に回転自在に架設した横方向手摺枠と、各支柱の下方に設けた上下一対の第１，第２の取付部材とを有し、上記第１の取付部材を支柱に結合した水平なフレーム本体と、フレーム本体から直角方向に連設した支持フレームと、フレーム本体と支持フレームの外端に縦方向に向けて連設した係止フレームと、係止フレームの下部に設けた係止溝とで構成し、上記第２の取付部材を支柱に固定した水平な支持片と、支持片に連設したフックと、支持片に設けたガイドと、ガイドに挿入して上記フックと対向する楔とで構成し、下段の足場板上で手摺枠を伸長させながら一方の支柱を持ち上げる工程と、第１の取付部材における係止フレームを横材に引掛け次いで第２の取付部材におけるフックと楔とで建材を挟持して上記支柱を一方の建材に取付ける工程と、下段の足場板上で手摺枠を短縮させながら他方の支柱を持ち上げる工程と、当該支柱を上記と同じ工程で第１、第２の取付部材を介して他方の建材に取付ける工程とからなるものである。
以下更に詳しく説明する。
【００１３】
手摺４は、図３に示すように、建枠３の最上部に盛替可能な先行手摺として取付けられるものであるが、建枠３に取付け後そのまま固定手摺として使用することもできる。
【００１４】
手摺４を先行手摺として使用する場合には、図３に示すように、下段の建枠３における横材２に架設された足場板Ｐ上で作業者が手摺４を取付ける。
【００１５】
次に、上方の横材２に上方の足場板Ｐを架設し、この足場板Ｐ上で手摺４で安全を図りながら上段の建枠３を組付け、又この建枠３にブレスＢＬ等を設置し、併せて固定の他の手摺を取付ける。
【００１６】
この作業が終了すると、上記の手摺４をはずし、上方の足場板Ｐ上で再びこの手摺４を更に上段側の建枠３に組付ける。即ち、上記手摺４を次々と上方に盛替えて使用する。尚、下方の建枠３に上方の建枠３（図示せず）を連結する場合、上下の縦材１，１同士を結合して行なう。
【００１７】
この場合、図３，図６に示すように、下方の縦材１の上部にはスペーサ１２と止め具１３又は３３が設けられており、スペーサ１２に上方の縦材１を挿入し、その後止め具１３又は３３を介してスペーサ１２と上方の縦材１とを結合して抜け止めを図っている。
【００１８】
止め具１３は、スプリングで付勢されたピンからなり、他の止め具３３としてはハンドルを備えた回転式のもの等である。
【００１９】
これらの止め具１３，３３等は、各メーカーによっていろいろなタイプのものが使用されているが、上記のように先行手摺を建枠３に組付ける時これらの止め具１３，３３等と干渉して手摺を取付けられない場合があるのに対して、本発明の手摺４は、この止め具１３等に干渉せずに取付けられ、あるいは取りはずして上方に盛替えできるようにしたものである。
【００２０】
以下に、更に、本発明の手摺の取付方法を詳しく説明するが、本発明の手摺の取付方法に使用される第１，第２の取付装置は、ブラケットＢ，Ｃからなるものである。
【００２１】
ブラケットＢは、図５、図６（Ａ）（Ｂ）（Ｃ）に示すように、支柱に基端を結合した水平なフレーム本体５と、フレーム本体５から直角方向に連設した支持フレーム６と、フレーム本体５の外端と支持フレーム６の外端とに縦方向に向けて連設した係止フレーム７とからなっている。
【００２２】
更に、フレーム本体５と支持フレーム６とが交叉するコーナー部近傍においてフレーム本体５と支持フレーム６とにそれぞれ短手方向に向けて外方に開放された溝状の切り欠き８、９を形成し、係止フレーム７の下部に湾曲した係止溝１０を設けている。
【００２３】
フレーム本体５と支持フレーム６とは一枚の板で形成しても良いが、本実施の形態では、図６に示すように、フレーム本体５と支持フレーム６とが水平な一体の上側板５ａを連設し、上側板５ａに外方に開放された溝状の切り欠き８、９を設け、下側板５ｂに外方に開放された湾曲した支持面を形成している。
【００２４】
図２に示すように、手摺４は、一対の縦方向支柱１４，１４と、支柱１４，１４の上部に横方向に架設した平行で伸縮自在な手摺枠１６，１６と、手摺枠１６，１６間に回転自在に架設した連結材１７と、支柱１４に設けた中間のブラケットＢと支柱１４の下部に設けたブラケットＣとで構成されている。
【００２５】
手摺枠１６は、図９、図１０に示すように、アウターチューブａと、アウターチューブａ内に伸縮自在に挿入したインナーチューブｂとからなり、アウターチューブａに形成した抜け止め孔ｃにインナーチューブｂに設けたピンｄを移動自在に挿入している。
【００２６】
アウターチューブａとインナーチューブｂの各端部には偏平な取付片ｅ，ｆと、この取付片ｅ，ｆに形成した取付穴ｇ，ｇを設けている。
【００２７】
そして、上記手摺枠１６は、図３，図４に示す取付金具２０を介して支柱１４に着脱自在に結合されている。
【００２８】
取付金具２０は、図４，図１１に示すように、支柱１４に設けた縦方向の筒状ガイド２１と、筒状ガイド２１から水平に突出するガイドロッド２２と、筒状ガイド２１とガイドロッド２２に縦方向に形成した孔２３、２４、孔２３、２４に上下移動自在に挿入した止めピン２５とで構成されている。
【００２９】
手摺枠１６は、止めピン２５を引き上げておいた状態で、その両端の取付孔ｇをガイドロッド２２に差し込み、次いで、止めピン２５を引き下げて孔２４に挿入する。
【００３０】
これにより、手摺枠１８は、ガイドロッド２２に差し込まれながら止めピン２５で抜け止めが図られている。
【００３１】
取付金具２０には図１１，図１２に示すように、親綱又は他の手摺枠として利用されるロープＲを挿通しても良い。
【００３２】
更に、支柱１４の下方に設けたブラケットＣは、図７，図８に示すように、支柱１４に基端を固定した支持片２６と、支持片２６に一体に連設しているフック２７と、フック２７に形成した抱持溝２８と、支持片２６に設けたガイド２９と、ガイド２９に挿入した楔３０とで構成されている。
【００３３】
フック２７は、縦材１に抱持溝２８を介して引掛け、楔３０を打ち込むことにより抱持溝２８と楔３０とで縦材１を挟持し、支柱１４の下部をブラケットＣで保持している。
【００３４】
次に、手摺４を建枠３に着脱する工程を説明するが、すでに述べたように、先ず下方の足場板Ｐ上で支柱１４を縦材１と横材２の交叉部にブラケットＢを介して取付ける。
【００３５】
この場合、縦材１の横方向からフレーム本体５と支持フレーム６と係止フレーム７とを傾斜させながら縦材１と横材２に近づけ、次いで、フレーム本体５を水平方向に引き上げながら係止フレーム７を係止溝１０を介して横材２上に係合させブラケットＢ全体を水平にする。
【００３６】
この際、縦材１に止め具１３又は３３があっても、フレーム本体５と支持フレーム６とは直角に曲げられてＬ字状となっているから、傾斜して近づけた時でもこれらのフレーム本体５と支持フレーム６は止め具１３又は３３と干渉しない。
【００３７】
更に、係止フレーム７を横材２に係合させながらフレーム本体５と支持フレーム６とを水平方向に引き上げた時ピン状の止め具１３又はハンドル式の止め具３３は外方に開放された溝状の切欠き８，９内に侵入し、フレーム本体５と支持フレーム６と干渉するのが防止される。
【００３８】
このようにブラケットＢを介して支柱１４を結合した後に下方のブラケットＣを縦材１に結合することにより支柱１４が固定される。尚、上記の場合下側板５ｂの支持面１１が縦材１の外面に係合する。
【００３９】
このように支柱１４が起立された後に手摺枠１６を装着して手摺４を上方に配置し、この手摺４を利用して安全を図りながら更に上方の建枠３を組み付け、ブレス等の取付作業を行なう。
【００４０】
更に、上方の建枠３の組付け作業が終了した後には手摺枠１６をはずし、上記した順序と逆の工程によって支柱１４をはずし、再びこの支柱１４を上方に盛替えて先行手摺として利用する。
【００４１】
上記の支柱１４は、手摺のみならず、単独で親綱支柱としても利用され、その構造は上記した場合と同じである。
【００４２】
即ち、図１３，図１４に示すように、支柱１４の上端に型の止め環４０を設け、この止め環４０内に親綱としてのロープ４１を挿入し、上記と同じく、支柱１４を持ち上げた時、同時にロープ４１を支柱１４間に架設するものである。
【００４３】
支柱１４は、図１５に示すように建材１に対してシュー４２と楔４３とからなる取付装置を介して取付けても良い。
【００４４】
【発明の効果】
本発明によれば次の効果が得られる。
【００４５】
１）縦方向支柱を一本ずつ持ち上げるだけで手摺枠が追随して引き上げられるので手摺の取付作業が容易でスピードアップを図れる。
【００４６】
２）一本の支柱を持ち上げた時全体の手摺の重量に比べて重量が軽いので着脱作業が容易となり、作業者への負担が軽くなる。
【００４７】
３）手摺枠が伸縮自在であるから、建材間のスペースが狭くてもスペースに制約されず手摺全体を建材間に位置合わせしながら架設できる。
【図面の簡単な説明】
【図１】手摺を取付けている状態の枠組足場の正面図である。
【図２】図１の一部拡大正面図である。
【図３】図１の拡大側面図である。
【図４】手摺の拡大側面図である。
【図５】ブラケットの拡大側面図である。
【図６】（Ａ）ブラケットの平面図である。
（Ｂ）ブラケットの背面図である。
（Ｃ）ブラケットの横断平面図である。
【図７】他のブラケットの拡大平面図である。
【図８】図７の側面図である。
【図９】手摺の正面図である。
【図１０】図９の一部拡大正面図である。
【図１１】手摺用取付金具の拡大側面図である。
【図１２】図１１の正面図である。
【図１３】他の実施の形態に係る枠組足場の正面図である。
【図１４】図１３の一部拡大正面図である。
【図１５】他の実施の形態に係る手摺用支柱の側面図である。
【符号の説明】
１  建材
２  横材
３  建枠
Ｐ  足場板
４  手摺
１４  縦方向支柱
１６  手摺枠
Ｂ  第１の取付部材たるブラケット
Ｃ  第２の取付部材たるブラケット
【図１】
0003943391.tif 000002
【図２】
0003943391.tif 000003
【図３】
0003943391.tif 000004
【図４】
0003943391.tif 000005
【図５】
0003943391.tif 000006
【図６】
0003943391.tif 000007
【図７】
0003943391.tif 000008
【図８】
0003943391.tif 000009
【図９】
0003943391.tif 000010
【図１０】
0003943391.tif 000011
【図１１】
0003943391.tif 000012
【図１２】
0003943391.tif 000013
【図１３】
0003943391.tif 000014
【図１４】
0003943391.tif 000015
【図１５】
0003943391.tif 000016